(57)【特許請求の範囲】
【請求項１】
筐体前面から露出されるように設けられた第１のテレビ端子及び第２のテレビ端子と、
筐体外部に露出されるように筐体の背面側に配され、同軸ケーブルと接続される入力端子とが筐体に形成され、
筐体の内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、前記第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、前記第二の経路に接続され、前記フィルタを第二の経路に挿入するかどうかによって第２のテレビ端子を双方向通信と片方向通信とに切り替えるための第２の切り替えスイッチとを備え、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、
前記フィルタ回路基板の幅方向の寸法が狭い部位では、前記第一の経路のうち前記２分配回路から前記第１のスイッチへ繋がる第一の経路の第一パターン路と、前記第二の経路のうち前記２分配回路から前記第２のスイッチへ繋がる第二の経路の第一パターン路と、前記第１のスイッチから前記第１のテレビ端子へ繋がる第一の経路の第二パターン路又は前記第２のスイッチから前記第２のテレビ端子へ繋がる第二の経路の第二パターン路のいずれか１つのパターン路とが、前記フィルタ回路基板の片面に略並行するよう配されており、
前記フィルタ回路基盤の幅方向の寸法が狭い部位の片面に配された第一の経路の第二パターン路又は第二の経路の第二パターン路のいずれか1つのパターン路は、フィルタ回路基板の幅方向の略中心に沿うよう配され、このようにフィルタ回路基板の幅方向の略中心に沿うよう配されたパターン路の両側に所定寸法離れた位置に並走するよう、第一の経路の第一パターン路と第二の経路の第一パターン路とがそれぞれ配されていることを特徴とするテレビコンセント。
【請求項２】
筐体前面から露出されるように設けられた第１のテレビ端子及び第２のテレビ端子と、
筐体外部に露出されるように筐体の背面側に配され、同軸ケーブルと接続される入力端子とが筐体に形成され、
筐体の内部に収納され、前記入力端子に接続されて前記同軸ケーブルを経由して送られる信号を２分配する２分配回路を有する２分配回路基板と、
前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、
前記筐体前面に外部から操作可能に設けられ、前記第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、前記第二の経路に接続され、前記フィルタを第二の経路に挿入するかどうかによって第２のテレビ端子を双方向通信と片方向通信とに切り替えるための第２の切り替えスイッチとを備え、
前記第１の切り替えスイッチ及び第２の切り替えスイッチは、共に前記第１のテレビ端子又は第２のテレビ端子のいずれか一方の近傍に配置されており、
前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、
前記フィルタ回路基板の幅方向の寸法が狭い部位では、前記第一の経路のうち前記２分配回路から前記第１のスイッチへ繋がる第一の経路の第一パターン路と、前記第二の経路のうち前記２分配回路から前記第２のスイッチへ繋がる第二の経路の第一パターン路とが、このフィルタ回路基板の一面に配されており、
前記第１のスイッチから前記第１のテレビ端子へ繋がる第一の経路の第二パターン路又は前記第２のスイッチから前記第２のテレビ端子へ繋がる第二の経路の第二パターン路のいずれか１つのパターン路が、前記フィルタ回路基板の一面に対向する他面に、前記第一の経路の第一パターン路及び第二の経路の第一パターン路とともに平面透視で略並行するよう配されていることを特徴とするテレビコンセント。
【請求項３】
前記フィルタ回路基板は、その側縁に設けられた穴部及び穴部の周囲に配された導電パターンであるランドを有し、前記筐体には前記穴部と嵌合されるボスが形成され、前記穴部と前記ボスとを嵌合させた状態で前記ランドと前記ボスとをハンダ接合させることにより、前記フィルタ回路基板が前記筐体の内部に固定されており、
前記フィルタ回路基板の幅方向の寸法が狭い部位では、前記第一の経路の第一パターン路及び第二の経路の第一パターン路は、このフィルタ回路基板の両側縁近傍に、前記ランドが配された部位から幅方向の内側に所定寸法離れた位置にそれぞれ配されており、前記第一の経路の第二パターン路又は第二の経路の第二パターン路は、平面透視で、前記第一の経路の第一パターン路及び第二の経路の第一パターン路が配された位置の略中心に並走するよう配されていることを特徴とする請求項１又は請求項２に記載のテレビコンセント。
【発明の詳細な説明】
【技術分野】
【０００１】
本発明は、双方向ＣＡＴＶ用配線系等の信号伝送システムの末端において、そのシステムと、テレビ受像機やチューナ等の受信機器又はケーブルモデム等の情報端末とを接続するテレビコンセントに関するものである。
【背景技術】
【０００２】
一般に、双方向ＣＡＴＶの信号伝送システムにおいては、ＣＡＴＶ局から加入者に向けての下り方向に対応する信号とその反対方向の上り方向に対応する信号とを周波数帯域で分けることにより、一本の同軸ケーブルで双方向通信が行われている。この上り方向の信号に加入者側からノイズ等が混入すると、通信の性能が低下するなどの影響を生じる。このため、下り方向のみの片方向通信のみを行うときには、信号伝送システムの末端となる端子を備えたテレビコンセントとして、上り方向に対応する周波数帯域の信号をカットするフィルタを備えたものが用いられている。
【０００３】
このようなテレビコンセントの中には、フィルタを適用するかどうかをスイッチにより選択して、双方向通信を行うか片方向通信を行うかを選択可能としたものが知られている。双方向／片方向を選択可能なテレビコンセントとしては、例えば特許文献１に示されるように、２つのテレビ端子を有するものがある。このようなテレビコンセントは、双方向通信用か片方向通信用かを切り替える切り替えスイッチを、２つのテレビ端子のうち少なくともいずれか１つのテレビ端子に対応して有している。特許文献１では、２つのテレビ端子を有するテレビコンセントにおいて、筐体の幅が狭い部位を設けて、テレビコンセント背面に設けられている入力端子に同軸ケーブルが接続し易いようにしている。
【０００４】
また、一般に、この切り替えスイッチを、２つのテレビ端子にそれぞれ対応するように２つ有しているテレビコンセントも知られている。図６（ａ）、（ｂ）、（ｃ）は、このようなテレビコンセントの一例を示す。このテレビコンセント８１の筐体８１０の前面の上部及び下部には、それぞれ第１のテレビ端子８２ａ及び第２のテレビ端子８２ｂが設けられている。また、筐体８１０の上部は、後述のように開口部が設けられた部位の背面から後方に出っ張った形状となっており、この後方に出っ張った部位の下面には、入力端子８２ｃが下向きに露出されるように立設されている。筐体８１０の前面の、第２のテレビ端子８２ｂの近傍には、筐体８１０に設けられている操作孔８３を通して外部から操作可能となるように、２つの切り替えスイッチ（以下、スイッチと称する）８４が設けられている。これらの２つのスイッチ８４は、図６（ａ）に示すように、互いに略水平に並んで設けられている。筐体８１０の内部には、後述するようにフィルタ回路基板８６が配される。筐体８１０及びフィルタ回路基板８６の第１のテレビ端子８２ａと操作孔８３との間の部位は、幅方向の寸法が狭くなるように形成されている。入力端子８２ｃは、この筐体８１０の幅方向の寸法が狭くなることにより発生した空間８１０ｅの後方に設けられている。
【０００５】
図７は、フィルタ回路基板８６を示す。筐体８１０の背面の後方に出っ張った部位の下方には開口部が設けられており、フィルタ回路基板８６は、この開口部から筐体８１０の内部に配される。筐体８１０の開口部は、フィルタ回路基板８６が筐体８１０の内部に配された状態で、封止板８１１ｂが圧入されて封止される。このフィルタ回路基板８６は、入力端子８２ｃと第１のテレビ端子８２ａ及び第２のテレビ端子８２ｂとをそれぞれ接続する導電パターンである２つの経路８７ａ，８７ｂと、これら２つの経路８７ａ，８７ｂの間にそれぞれ接続されるフィルタ８８ａ，８８ｂと、スイッチ８４と接続され、経路８７ａ，８７ｂの途中にそれぞれ配されるスイッチ接続部８４１ａ，８４２ｂとを搭載している。スイッチ８４が切り替わると、このフィルタ８８ａ，８８ｂが経路８７ａ，８７ｂに挿入されるかどうかが切り替わることによって双方向通信と片方向通信とが切り替わる。
【０００６】
このテレビコンセント８１は、図８（ａ）、（ｂ）に示すように、筐体８１０の前面がカバー８２０により覆われて、室内等にカバー８２０と第１のテレビ端子８２ａ及び第２のテレビ端子８２ｂとが露出するように、壁面８９０に配置されて用いられる。テレビコンセント８１の後方には、アウトレットボックス８８０が設けられている。テレビコンセント８１は、壁面８９０の背面側からアウトレットボックス８８０内に配された同軸ケーブル８６０の端部の端子８６１が入力端子８２ｃに接続された状態で壁面８９０に配される。
【０００７】
ところで、図７に示すように、フィルタ回路基板８６の幅方向の寸法が狭い部位には、上述の２つの経路８７ａ，８７ｂのうち、入力端子８２ｃから２分配されてスイッチ接続部８４１ａ，８４２ｂへ接続される２本の往路８７１ａ，８７１ｂと、スイッチ接続部８４１ａから第１のテレビ端子８２ａへと接続される復路８７２ａとの、計３本の導電パターンが密集して配されている。このように導電パターン同士の距離が狭いと、導電パターン間で互いに信号が干渉して漏話が発生し、信号の伝送特性が劣化してしまうおそれがある。信号の伝送特性が劣化すると、信号の品質が低下し、例えばテレビ受像機の画像が乱れる等の不具合が生じる。なお、経路８７ｂのうち、復路でない経路８７２ｂは、スイッチ接続部８４１ｂと第２のテレビ端子８２ｂとを接続している。
【特許文献１】特開２００４−３２０５４８号公報
【発明の開示】
【発明が解決しようとする課題】
【０００８】
本発明は、上記問題点を鑑みてなされたものであり、フィルタ回路基板の幅方向の寸法が狭い部位を通る導電パターンの経路が複数ライン形成されても、これら導電パターン間で漏話が発生しにくく、信号の伝送特性が劣化しにくく、信号の伝送上の品質が低下しにくいテレビコンセントを提供することを目的とする。
【課題を解決するための手段】
【０００９】
上記目的を達成するため請求項１の発明は、筐体前面から露出されるように設けられた第１のテレビ端子及び第２のテレビ端子と、筐体外部に露出されるように筐体の背面側に配され、同軸ケーブルと接続される入力端子とが筐体に形成され、筐体の内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、前記第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、前記第二の経路に接続され、前記フィルタを第二の経路に挿入するかどうかによって第２のテレビ端子を双方向通信と片方向通信とに切り替えるための第２の切り替えスイッチとを備え、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、前記フィルタ回路基板の幅方向の寸法が狭い部位では、前記第一の経路のうち前記２分配回路から前記第１のスイッチへ繋がる第一の経路の第一パターン路と、前記第二の経路のうち前記２分配回路から前記第２のスイッチへ繋がる第二の経路の第一パターン路と、前記第１のスイッチから前記第１のテレビ端子へ繋がる第一の経路の第二パターン路又は前記第２のスイッチから前記第２のテレビ端子へ繋がる第二の経路の第二パターン路のいずれか１つのパターン路とが、前記フィルタ回路基板の片面に略並行するよう配されており、前記フィルタ回路基盤の幅方向の寸法が狭い部位の片面に配された第一の経路の第二パターン路又は第二の経路の第二パターン路のいずれか1つのパターン路は、フィルタ回路基板の幅方向の略中心に沿うよう配され、このようにフィルタ回路基板の幅方向の略中心に沿うよう配されたパターン路の両側に所定寸法離れた位置に並走するよう、第一の経路の第一パターン路と第二の経路の第一パターン路とがそれぞれ配されているものである。
【００１０】
請求項２の発明は、筐体前面から露出されるように設けられた第１のテレビ端子及び第２のテレビ端子と、筐体外部に露出されるように筐体の背面側に配され、同軸ケーブルと接続される入力端子とが筐体に形成され、筐体の内部に収納され、前記入力端子に接続されて前記同軸ケーブルを経由して送られる信号を２分配する２分配回路を有する２分配回路基板と、前記２分配回路と第１のテレビ端子とを前記信号を伝送可能に接続する第一の経路と、第一の経路とは異なり前記２分配回路と第２のテレビ端子とを前記信号を伝送可能に接続する第二の経路と、これら第一、第二の経路それぞれに個別に挿入可能なフィルタとを有し、筐体内部に収納されたフィルタ回路基板と、前記筐体前面に外部から操作可能に設けられ、前記第一の経路に接続され、前記フィルタを第一の経路に挿入するかどうかによって第１のテレビ端子を双方向通信と片方向通信とに切り替えるための第１の切り替えスイッチと、前記筐体前面に外部から操作可能に設けられ、前記第二の経路に接続され、前記フィルタを第二の経路に挿入するかどうかによって第２のテレビ端子を双方向通信と片方向通信とに切り替えるための第２の切り替えスイッチとを備え、前記第１の切り替えスイッチ及び第２の切り替えスイッチは、共に前記第１のテレビ端子又は第２のテレビ端子のいずれか一方の近傍に配置されており、前記筐体は、前記第１のテレビ端子又は第２のテレビ端子のうち他方が設けられた部位と前記第１の切り替えスイッチ及び第２の切り替えスイッチが設けられた部位との間の部位が、幅方向の寸法が狭くなるように成形されたテレビコンセントにおいて、前記フィルタ回路基板の幅方向の寸法が狭い部位では、前記第一の経路のうち前記２分配回路から前記第１のスイッチへ繋がる第一の経路の第一パターン路と、前記第二の経路のうち前記２分配回路から前記第２のスイッチへ繋がる第二の経路の第一パターン路とが、このフィルタ回路基板の一面に配されており、前記第１のスイッチから前記第１のテレビ端子へ繋がる第一の経路の第二パターン路又は前記第２のスイッチから前記第２のテレビ端子へ繋がる第二の経路の第二パターン路のいずれか１つのパターン路が、前記フィルタ回路基板の一面に対向する他面に、前記第一の経路の第一パターン路及び第二の経路の第一パターン路とともに平面透視で略並行するよう配されているものである。
【００１１】
請求項３の発明は、前記フィルタ回路基板は、その側縁に設けられた穴部及び穴部の周囲に配された導電パターンであるランドを有し、前記筐体には前記穴部と嵌合されるボスが形成され、前記穴部と前記ボスとを嵌合させた状態で前記ランドと前記ボスとをハンダ接合させることにより、前記フィルタ回路基板が前記筐体の内部に固定されており、前記フィルタ回路基板の幅方向の寸法が狭い部位では、前記第一の経路の第一パターン路及び第二の経路の第一パターン路は、このフィルタ回路基板の両側縁近傍に、前記ランドが配された部位から幅方向の内側に所定寸法離れた位置にそれぞれ配されており、前記第一の経路の第二パターン路又は第二の経路の第二パターン路は、平面透視で、前記第一の経路の第一パターン路及び第二の経路の第一パターン路が配された位置の略中心に並走するよう配されているものである。
【発明の効果】
【００１２】
請求項１の発明によれば、フィルタ回路基板の幅方向の寸法が狭い部位では、第一の経路の第二パターン路又は第二の経路の第二パターン路のうちいずれか一つのパターン路がフィルタ回路基板の幅方向の略中心に配されており、このパターン路の両側に所定寸法離れた位置に、第一の経路の第一パターン路と第二の経路の第一パターン路のそれぞれが配されているので、これら３つのパターン路間の距離が広く確保され、導電パターン間での干渉は減少する。これにより、信号の伝送特性が劣化しにくくなり、信号の伝送上の品質を低下しにくくすることが可能となる。
【００１３】
請求項２の発明によれば、フィルタ回路基板の幅方向の寸法が狭い部位では、第一の経路の第一パターン路と第二の経路の第一パターン路がフィルタ回路基板の一面に配されており、第一の経路の第二パターン路又は第二の経路の第二パターン路のうちいずれか一つのパターン路がフィルタ回路基板の他面に配されており、これら３本のパターンラインが平面透視で極力離間して並走するよう設けられているので、これら３つのパターン路間の電磁気的離間距離が広く確保され、導電パターン間での干渉はより減少する。これにより、信号の伝送特性が劣化しにくくなり、信号の伝送上の品質をより低下しにくくすることが可能となる。
【００１４】
請求項３の発明によれば、フィルタ回路基板の幅方向の寸法が狭い部位では、第一の経路の第一パターン路と第二の経路の第一パターン路は、このフィルタ回路基板の両側縁近傍に、ランドが配された部位から幅方向の内側に所定寸法離れた位置にそれぞれ配されており、第一の経路の第二パターン路又は第二の経路の第二パターン路は、第一の経路の第一パターン路と第二の経路の第一パターン路が配された位置の略中心に配されているので、フィルタ回路基板の幅方向の寸法が狭い部位でフィルタ回路基板と筐体とがハンダ接合されているようなものであっても、導電パターン間の距離が広く確保される。これにより、上述と同様に、信号の伝送上の品質を低下しにくくすることが可能となる。
【発明を実施するための最良の形態】
【００１５】
以下、本発明の第１の実施形態について図面を参照して説明する。図１（ａ）、（ｂ）、及び図２は、本実施形態に係るテレビコンセントを示す。なお、図２は、後述する封止板１１ｂが取り付けられていない状態のテレビコンセントを示す。このテレビコンセント１の筐体１０の上部及び下部には、筐体１０の前面から露出されるように、それぞれ第１のテレビ端子２ａ及び第２のテレビ端子２ｂが設けられている。筐体１０の背面側には、筐体１０の外部に露出するように、同軸ケーブル（図示せず）と接続される入力端子２ｃが設けられている。第１のテレビ端子２ａ、第２のテレビ端子２ｂ、及び入力端子２ｃは、例えばＦ型コネクタの端子である。筐体１０の前面の第２のテレビ端子２ｂの近傍には、２つの操作孔３ａ，３ｂが設けられている。この操作孔３ａ，３ｂを通して筐体１０の外部から操作可能となるように、筐体１０の内部に、第１の切り替えスイッチ（以下、第１のスイッチと称する）４ａ、第２の切り替えスイッチ（以下、第２のスイッチと称する）４ｂがそれぞれ設けられている。筐体１０の上部の内部には、入力端子２ｃと接続され、同軸ケーブルを経由して送られる信号を２分配する２分配回路を有する２分配回路基板５が略水平に収納され、また、２分配された信号を第１のテレビ端子２ａ及び第２のテレビ端子２ｂに伝送するフィルタ回路基板６が２分配回路基板５よりも下方に略垂直に収納されている。このテレビコンセント１は、入力端子２ｃに同軸ケーブルが接続された状態で、例えば室内の壁面等に取り付けられて用いられる。
【００１６】
筐体１０は、例えばダイキャスト等、金属により成形される。図１（ｂ）に示すように、筐体１０の２分配回路基板５が収納されている部位はフィルタ回路基板６が設けられている部位の背面から後方に出っ張った形状とされている。入力端子２ｃは、この出っ張った部分から下方向に突出するように、筐体１０の側面の近傍に設けられている。また、筐体１０の上面と、フィルタ回路基板６が設けられている部位の背面とは、それぞれ外部に解放された開口部１０ａ，１０ｂとなっている。開口部１０ａ，１０ｂは、それぞれ封止板１１ａ，１１ｂによって覆われている。筐体１０の内部には、図１（ｂ）に示すように、後述するようにして２分配回路基板５とフィルタ回路基板６とを収納するためのボス１０ｃと、ボス１０ｃが立設された台座１０ｄが形成されている。
【００１７】
また、本実施形態において、図１（ａ）に示すように、筐体１０の第１のテレビ端子２ａと操作孔３ａ，３ｂとの間の部位は、幅方向の寸法が狭くなるように成形されており、その部位の左右両側は空間１０ｅとなっている。筐体１０は、この空間１０ｅが大きくなるような形状に成形されており、これにより、入力端子２ｃの周囲には広い空間が確保され、入力端子２ｃに同軸ケーブルを容易に接続可能となっている。
【００１８】
操作孔３ａは、図１（ａ）に示すように、操作孔３ｂよりも第１のテレビ端子２ａに近い位置に配置され、操作孔３ｂは、操作孔３ａよりも第２のテレビ端子２ｂに近い位置に配置されている。すなわち、第１のスイッチ４ａ及び第２のスイッチ４ｂは、共に第２のテレビ端子２ｂの近傍に設けられており、第１のスイッチ４ａは、第２のスイッチ４ｂよりも第１のテレビ端子２ａに近い位置に配置され、第２のスイッチ４ｂは、第１のスイッチ４ａよりも第２のテレビ端子２ｂに近い位置に配置されている。第１のスイッチ４ａ及び第２のスイッチ４ｂは、例えばスライド型のスイッチであり、本実施形態においては、操作孔３ａ，３ｂを通して上下方向に切り替えることができるように配されている。
【００１９】
２分配回路基板５には、側縁近傍に、穴部及び穴部周囲に形成された導電パターンであるランドが設けられている。２分配回路基板５は、この穴部に筐体１０のボス１０ｃが嵌合された状態で台座１０ｄ上に配される。そして、そのボス１０ｃとランドとをハンダ接合することにより、２分配回路基板５が筐体１０の内部に固定されて収納されている。２分配回路基板５は、入力端子２ｃと接続されており、２分配回路により、同軸ケーブルを経由して入力端子２ｃから入力された信号を２分配する。
【００２０】
図３はフィルタ回路基板６を示す。また、図４は、筐体１０に配されたフィルタ回路基板６の断面を示す。フィルタ回路基板６は、筐体１０の内部形状に対応した形状とされており、第１のテレビ端子２ａと第１の切り替えスイッチ４ａ及び第２の切り替えスイッチ４ｂとの間の部位は幅方向の寸法が狭くなるように成形されている。このフィルタ回路基板６の側縁近傍には、穴部６１ａと、穴部６１ａ周囲に形成された導電パターンであるランド６１ｂが設けられている。フィルタ回路基板６は、筐体１０のボス１０ｃをこの穴部６１ａに嵌合させた状態で、台座１０ｄ上に配される。そして、図４に示すように、ボス１０ｃとランド６１ｂにハンダ９を付着させてハンダ接合することにより、フィルタ回路基板６が筐体１０の内部に筐体１０の前面と略平行に固定されて収納されている。なお、本実施形態において、テレビコンセント１を使用する際には筐体１０は接地電位とされており、２分配回路基板５のランド及びフィルタ回路基板６のランド６１ｂは、筐体１０とハンダ接合されることにより、接地電位に接続された状態となる。
【００２１】
図３に示すように、このフィルタ回路基板６は、片面パターン基板であって、導電パターンである第一の経路７ａ及び第二の経路７ｂと、これらの第一の経路７ａ及び第二の経路７ｂそれぞれに個別に挿入可能に設けられるフィルタ８ａ，８ｂと、上述の第１のスイッチ４ａ及び第２のスイッチ４ｂにそれぞれ接続されるスイッチ接続部４１ａ，４１ｂを有している。なお、第一の経路７ａ及び第二の経路７ｂは、図４に示すようにレジスト６２によって被覆され、保護、絶縁されている。フィルタ回路基板６の上部及び下部にはそれぞれ端子接続部６ａ，６ｂが設けられており、この端子接続部６ａ，６ｂに第１のテレビ端子２ａ及び第２のテレビ端子２ｂがそれぞれ接続されている。また、フィルタ回路基板６の上部には回路接続部６ｃ１、６ｃ２が設けられており、この回路接続部６ｃ１、６ｃ２に２分配回路基板５の２分配回路が接続されている。第一の経路７ａ及び第二の経路７ｂは、第１のテレビ端子２ａ及び第２のテレビ端子２ｂと、２分配回路基板５の２分配回路とを、信号を伝送可能にそれぞれ接続している。スイッチ接続部４１ａ，４１ｂは、それぞれ第一の経路７ａ及び第二の経路７ｂの途中に配されており、スイッチ４ａ，４ｂが切り替わると、フィルタ８ａ，８ｂが第一の経路７ａ及び第二の経路７ｂに挿入されるかどうかが切り替わるように構成されている。なお、第一の経路７ａは、２分配回路に接続された回路接続部６ｃ１から第１のスイッチ４ａに接続されたスイッチ接続部４１ａまでが第一の経路の第一パターン路７１ａとされ、このスイッチ接続部４１ａから第１のテレビ端子２ａが接続された端子接続部６ａまでが第一の経路の第二パターン路７２ａとされる。また、第二の経路７ｂは、２分配回路に接続された回路接続部６ｃ２から第２のスイッチ４ｂに接続されたスイッチ接続部４１ｂまでが第二の経路の第一パターン路７１ｂとされ、このスイッチ接続部４１ｂから第２のテレビ端子２ｂが接続された端子接続部６ｂまでが第二の経路の第二パターン路７２ｂとされる。
【００２２】
フィルタ８ａ，８ｂは、ＣＡＴＶ用の信号のうち、加入者（ユーザ）側からＣＡＴＶ局側に向かう上り方向に対応する周波数帯域の成分を除去する帯域阻止フィルタである。フィルタ８ａ，８ｂは、第一の経路７ａ及び第二の経路７ｂにそれぞれ挿入されたとき、この第一の経路７ａ及び第二の経路７ｂを伝送されるＣＡＴＶ用の信号のうち、第１のテレビ端子２ａ及び第２のテレビ端子２ｂから入力端子２ｃに向かう上り方向に対応する周波数帯域の信号をカットする。このため、第一の経路７ａ及び第二の経路７ｂは、入力端子２ｃから第１のテレビ端子２ａ及び第２のテレビ端子２ｂに向かう下り方向に対応する周波数帯域の信号のみを通過可能な片方向通信用の経路となる。フィルタ８ａ，８ｂが第一の経路７ａ及び第二の経路７ｂに挿入されていないときには、第一の経路７ａ及び第二の経路７ｂは双方向通信用の経路となる。すなわち、上述のように、第１のスイッチ４ａ又は第２のスイッチ４ｂが切り替わり、フィルタ８ａ，８ｂがそれぞれ第一の経路７ａ及び第二の経路７ｂに挿入されるかどうかが切り替わると、第１のテレビ端子２ａ、第２のテレビ端子２ｂについて、双方向通信用か片方向通信用かの設定が切り替わる。なお、本実施形態においては、第１のテレビ端子２ａと第２のテレビ端子２ｂとのそれぞれについての双方向通信と片方向通信との切り替え作業は、筐体１０の外部から第１のスイッチ４ａ又は第２のスイッチ４ｂの双方向／片方向の設定を切り替えることにより行われる。この作業は、テレビコンセント１が壁面等に設置されている状態で行うことができる。
【００２３】
ここで、図３に示すように、フィルタ回路基板６の幅方向の寸法が狭い部位では、第一の経路７ａ及び第二の経路７ｂのうち、第一の経路の第一パターン路７１ａ及び第二の経路の第一パターン路７１ｂと第一の経路の第二パターン路７２ａとがフィルタ回路基板６の片面に略並行するよう配されている。この部位では、図３及び図４に示すように、第一の経路の第一パターン路７１ａ及び第二の経路の第一パターン路７１ｂは、フィルタ回路基板６の幅方向の寸法が狭い部位の両側縁近傍に、ランド６１ｂが配された部位から幅方向の内側に所定寸法（図４に寸法線で示す）離れた位置にそれぞれ配されている。本実施形態において、第一の経路の第一パターン路７１ａ，第二の経路の第一パターン路７１ｂとランド６１ｂとは、例えばｄ＝０．１ｍｍ離れるように構成されており、ランド６１ｂ及び筐体１０と第一の経路の第一パターン路７１ａ，第二の経路の第一パターン路７１ｂとが確実に絶縁されるように構成されている。なお、この寸法はこれに限られるものではなく、ランド６１ｂと第一の経路の第一パターン路７１ａ，第二の経路の第一パターン路７１ｂとの電気的絶縁が確保されるような最小の寸法であればよい。また、このフィルタ回路基板６の幅方向の寸法が狭い部位では、第一の経路の第二パターン路７２ａは、図３に示すように、第一の経路の第一パターン路７１ａ及び第二の経路の第一パターン路７１ｂが配された位置の中心に配されている。すなわち、この部位では、第一の経路の第二パターン路７２ａがフィルタ回路基板６の幅方向の略中心に沿うように配されており、第一の経路の第一パターン路７１ａ及び第二の経路の第一パターン路７１ｂは、この第一の経路の第二パターン路７２ａの両側に所定寸法離れた位置に並走するようにそれぞれ配されている。このように、フィルタ回路基板６の幅方向の寸法が狭い部位には、第一の経路の第一パターン路７１ａ，第二の経路の第一パターン路７１ｂ、及び第一の経路の第二パターン路７２ａが、それぞれ互いの距離ができるだけ広くなるようにして配されている。
【００２４】
本実施形態においては、上述のように、フィルタ回路基板６の幅方向の寸法が狭くなった部位で第一の経路の第一パターン路７１ａ及び第二の経路の第一パターン路７１ｂと第一の経路の第二パターン路７２ａの３本の導電パターン間の距離が互いに幅方向の寸法に見合って可能な限り広く確保されるので、導電パターン間での干渉が減少して漏話の発生が少なくなる。これにより、伝送特性が劣化しにくくなり、第一の経路７ａ及び第二の経路７ｂを伝送される信号の伝送上の品質を低下しにくくすることが可能となる。
【００２５】
次に、本発明の第２の実施形態について、図５（ａ）、（ｂ）を参照して説明する。本実施形態において、上述の実施形態と同様の構成部材のものは同一の符号を付し、上述の実施形態と相違する部分についてのみ説明する。本実施形態において、テレビコンセント１のフィルタ回路基板６上に配される経路の位置が、上述の第１の実施形態とは異なっている。
【００２６】
図５（ａ）、（ｂ）は、本実施形態に係るテレビコンセント１のフィルタ回路基板６を示す。このフィルタ回路基板６は、両面パターン基板の場合の形態をあらわしたものであり、上述の第１の実施形態の第一の経路７ａ及び第二の経路７ｂに替えて、第一の経路７ａ及び第二の経路７ｂとはフィルタ回路基板上６に配された位置が異なる第一の経路１７ａ及び第二の経路１７ｂを有している。このフィルタ回路基板６に搭載される第一の経路１７ａ及び第二の経路１７ｂとは他の部材やフィルタ回路基板６の形状等は、上述の第１の実施形態のフィルタ回路基板６と同様である。なお、第一の経路１７ａは、２分配回路に接続された回路接続部６ｃ１から第１のスイッチ４ａに接続されたスイッチ接続部４１ａまでが第一の経路の第一パターン路１７１ａとなり、このスイッチ接続部４１ａから第１のテレビ端子２ａが接続された端子接続部６ａまでが第一の経路の第二パターン路１７２ａとされている。第二の経路１７ｂは、２分配回路に接続された回路接続部６ｃ２から第２のスイッチ４ｂに接続されたスイッチ接続部４１ｂまでが第二の経路の第一パターン路１７１ｂとなり、このスイッチ接続部４１ｂから第２のテレビ端子２ｂが接続された端子接続部６ｂまでが第二の経路の第二パターン路１７２ｂとされている。
【００２７】
本実施形態において、図５（ａ）に示すように、フィルタ回路基板６の幅方向の寸法が狭い部位では、第一の経路１７ａ及び第二の経路１７ｂのうち、第一の経路の第一パターン路１７１ａ及び第二の経路の第一パターン路１７１ｂがこのフィルタ回路基板６の片面に配されている。また、この部位では、図５（ｂ）に示すように、第一の経路の第一パターン路１７１ａ及び第二の経路の第一パターン路１７１ｂと略平行に、第一の経路の第二パターン路１７２ａがこのフィルタ回路基板の他面に配されている。すなわち、この部位では、第一の経路の第一パターン路１７１ａ及び第二の経路の第一パターン路１７１ｂと第一の経路の第二パターン路１７２ａとは、フィルタ回路基板６の両面に互いに分かれて、平面透視で略並行に配されている。
【００２８】
このように、本実施形態においては、フィルタ回路基板６の幅方向の寸法が狭くなった部位で第一の経路の第一パターン路１７１ａ及び第二の経路の第一パターン路１７１ｂと第一の経路の第二パターン路１７２ａとがフィルタ回路基板６の両面に互いに分かれて配されており、３本の導電パターン間の電磁気的な干渉距離が互いに広く確保されるので、導電パターン間での干渉が減少して漏話の発生が少なくなる。これにより、伝送特性が劣化しにくくなり、第一の経路１７ａ及び第二の経路１７ｂを伝送される信号の伝送上の品質を低下しにくくすることが可能となる。
【００２９】
なお、本発明は上記実施形態の構成に限定されるものではなく、発明の趣旨を変更しない範囲で適宜に種々の変形が可能である。例えば、テレビコンセント１は、フィルタ回路基板６が筐体１０に上述のようにハンダ接合されて固定されているものでなくてもよい。つまり、ハンダ接合用のランド６１ｂを形成しないようにすれば、それだけ、３本のパターンラインを平面透視で離間させるように、３本のパターンを離して形成することが可能となり、漏話の危険性をさらに低減できる。
【図面の簡単な説明】
【００３０】
【図１】（ａ）は本発明の第１の実施形態に係るテレビコンセントを示す正面図、（ｂ）は同テレビコンセントを示す側断面図。
【図２】同上テレビコンセントを示す斜視図。
【図３】同上テレビコンセントのフィルタ回路基板を示す平面図。
【図４】同上テレビコンセントのフィルタ回路基板の幅方向の寸法が狭い部位の一部分を示す断面図。
【図５】（ａ）は本発明の第２の実施形態に係るテレビコンセントのフィルタ回路基板を示す正面図、（ｂ）は同フィルタ回路基板を示す背面図。
【図６】（ａ）は従来のテレビコンセントの一例を示す正面図、（ｂ）は同テレビコンセントを示す側面図、（ｃ）は同テレビコンセントを示す斜視図。
【図７】同上テレビコンセントのフィルタ回路基板を示す平面図。
【図８】（ａ）は同上テレビコンセントにカバーを配したときの正面図、（ｂ）は同テレビコンセントを壁面に設置したときを示す図。
【符号の説明】
【００３１】
１  テレビコンセント
２ａ  第１のテレビ端子
２ｂ  第２のテレビ端子
２ｃ  入力端子
４ａ  第１の切り替えスイッチ
４ｂ  第２の切り替えスイッチ
５  ２分割回路基板
６  フィルタ回路基板
７ａ，１７ａ  第一の経路
７ｂ，１７ｂ  第二の経路
８ａ，８ｂ  フィルタ
９  ハンダ
１０  筐体
１０ｃ  ボス
７１ａ，１７１ａ  第一の経路の第一パターン路
７１ｂ，１７１ｂ  第二の経路の第一パターン路
７２ａ，１７２ａ  第一の経路の第二パターン路
７２ｂ，１７２ｂ  第二の経路の第二パターン路
【図１】
0004419921.tif 000002
【図２】
0004419921.tif 000003
【図３】
0004419921.tif 000004
【図４】
0004419921.tif 000005
【図５】
0004419921.tif 000006
【図６】
0004419921.tif 000007
【図７】
0004419921.tif 000008
【図８】
0004419921.tif 000009